【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
電波を受信する受信装置であって、
複数の指向性アンテナから成る第１のアンテナセットと、
前記第１のアンテナセットの１つの指向性アンテナで受信した信号、又は前記第１のアンテナセットのうちの少なくとも２つ以上の指向性アンテナで受信した信号の合成信号を出力する第１の切替・合成部を有する第１の受信部と、
複数の指向性アンテナから成る第２のアンテナセットと、
前記第２のアンテナセットの１つの指向性アンテナで受信した信号、又は前記第２のアンテナセットのうちの少なくとも２つ以上の指向性アンテナで受信した信号の合成信号を出力する第２の切替・合成部を有する第２の受信部と、
前記第１の受信部及び第２の受信部における受信状態に基づいて前記第１の切替・合成部及び／又は前記第２の切替・合成部の受信信号の切替・合成を制御する切替・合成制御部と、
を有することを特徴とする受信装置。
【請求項２】
前記第１の受信部及び前記第２の受信部からの出力信号にダイバーシティ処理を行うダイバーシティ処理部を有し、
前記切替・合成制御部は、
ダイバーシティ処理による受信状態に基づいて前記第１の切替・合成部及び／又は前記第２の切替・合成部の受信信号の切替・合成を制御する、請求項１記載の受信装置。
【請求項３】
前記第１のアンテナセットは、第１の前方指向性アンテナ及び第１の後方指向性アンテナから成り、
前記第２のアンテナセットは、第２の前方指向性アンテナ及び第２の後方指向性アンテナから成る、請求項１又は２に記載の受信装置。
【請求項４】
前記第１のアンテナセットは、第１の前方指向性アンテナ、第１の側方指向性アンテナ、及び第１の後方指向性アンテナから成り、
前記第２のアンテナセットは、第２の前方指向性アンテナ、第２の側方指向性アンテナ、及び第２の後方指向性アンテナから成る、請求項１又は２に記載の受信装置。
【請求項５】
前記受信状態には、受信レベル、受信誤り率、訂正誤り率の少なくとも何れかで検出される、請求項１〜４の何れか一つに記載の受信装置。
【請求項６】
前記切替・合成制御部は、
前記第１の受信部における第１の前方指向性アンテナで受信した信号と第１の後方指向性アンテナで受信した信号との合成信号による受信レベルと、前記第２の受信部における第２の前方指向性アンテナで受信した信号又は第２の後方指向性アンテナで受信した信号の受信レベルとの比較に基づいて前記第１の切替・合成部及び／又は第２の切替・合成部の受信信号の切替・合成を制御する、請求項３記載の受信装置。
【請求項７】
前記切替・合成制御部は、
前記第１の受信部における第１の前方指向性アンテナで受信した信号の受信レベルと、前記第２の受信部における第２の後方指向性アンテナで受信した信号の受信レベルとの比較に基づいて前記第１の切替・合成部及び／又は第２の切替・合成部の受信信号の切替・合成を制御する、請求項３記載の受信装置。
【請求項８】
前記切替・合成制御部は、
前記第１の受信部における第１の前方指向性アンテナで受信した信号の受信レベルと、前記第２の受信部における第２の前方指向性アンテナで受信した信号の受信レベルとの比較、又は、
前記第１の受信部における第１の後方指向性アンテナで受信した信号の受信レベルと、前記第２の受信部における第２の後方指向性アンテナで受信した信号の受信レベルとの比較、に基づいて前記第１の切替・合成部及び／又は第２の切替・合成部の受信信号の切替・合成を制御する、請求項３記載の受信装置。
【請求項９】
前記切替・合成制御部は、
前記第１の受信部における第１の前方指向性アンテナで受信した信号と第１の後方指向性アンテナで受信した信号との合成信号の受信レベルと、及び前記第２の受信部における第２の前方指向性アンテナで受信した信号と第２の後方指向性アンテナで受信した信号との合成信号の受信レベルと、
前記第１の受信部における第１の前方指向性アンテナで受信した信号と第１の後方指向性アンテナで受信した信号との合成信号の受信レベルと、及び前記第２の受信部における第２の前方指向性アンテナで受信した信号又は第２の後方指向性アンテナで受信した信号の受信レベルとの比較に基づいて前記第１の切替・合成部及び／又は第２の切替・合成部の受信信号の切替・合成を制御する、請求項３記載の受信装置。
【請求項１０】
前記切替・合成制御部は、
前記第１の受信部における第１の前方指向性アンテナで受信した信号と第１の後方指向性アンテナで受信した信号との合成信号の受信レベルと、
前記第２の受信部における第２の前方指向性アンテナで受信した信号と第２の後方指向性アンテナで受信した信号との合成信号の受信レベルと、
前記第１の受信部における第１の前方指向性アンテナで受信した信号と前記第２の受信部における第２の前方指向性アンテナで受信した信号との合成信号の受信レベルとの比較、又は、
前記第１の受信部における第１の前方指向性アンテナで受信した信号と第１の後方指向性アンテナで受信した信号との合成信号の受信レベルと、
前記第２の受信部における第２の前方指向性アンテナで受信した信号と第２の後方指向性アンテナで受信した信号との合成信号の受信レベルと、
前記第１の受信部における第１の後方指向性アンテナで受信した信号と前記第２の受信部における第２の後方指向性アンテナで受信した信号との合成信号の受信レベルとの比較、に基づいて前記第１の切替・合成部及び／又は第２の切替・合成部の受信信号の切替・合成を制御する、請求項３記載の受信装置。
【請求項１１】
前記切替・合成制御部は、
前記第１の受信部における第１の前方指向性アンテナで受信した信号、第１の側方指向性アンテナで受信した信号、及び第１の後方指向性アンテナで受信した信号の合成信号の受信レベルと、
前記第２の受信部における第２の前方指向性アンテナで受信した信号、第２の側方指向性アンテナで受信した信号、又は第２の後方指向性アンテナで受信した信号の何れか１つによる受信レベルとの比較に基づいて前記第１の切替・合成部及び／又は第２の切替・合成部の受信信号の切替・合成を制御する、請求項４記載の受信装置。
【請求項１２】
前記アンテナ切替・合成制御部は、
前記第１の受信部における第１の前方指向性アンテナで受信した信号、第１の側方指向性アンテナで受信した信号、及び第１の後方指向性アンテナで受信した信号との合成信号の受信レベルと、
前記第２の受信部における第２の前方指向性アンテナ、第２の側方指向性アンテナ、及び第２の後方指向性アンテナのうちの何れか２つで受信した信号の合成信号の受信レベルとの比較、及び
前記第２の受信部における残りの１つのアンテナの指向性に基づいて、前記第１の切替・合成部及び／又は第２の切替・合成部の受信信号の切替・合成を制御する、請求項４記載の受信装置。
【請求項１３】
前記切替・合成制御部は、
前記第１の受信部における第１の前方指向性アンテナで受信した信号と第１の側方指向性アンテナで受信した信号との合成信号の受信レベルと、前記第２の受信部における第２の前方指向性アンテナで受信した信号と第２の側方指向性アンテナで受信した信号との合成信号の受信レベルとの比較、又は、
前記第１の受信部における第１の後方指向性アンテナで受信した信号と第１の側方指向性アンテナで受信した信号との合成信号の受信レベルと、前記第２の受信部における第２の後方指向性アンテナで受信した信号と第２の側方指向性アンテナで受信した信号との合成信号の受信レベルとの比較、に基づいて前記第１の切替・合成部及び／又は第２の切替・合成部の受信信号の切替・合成を制御する、請求項４記載の受信装置。
【請求項１４】
前記切替・合成制御部は、
前記第１の受信部における第１の前方指向性アンテナで受信した信号、第１の側方指向性アンテナで受信した信号、及び第１の後方指向性アンテナで受信した信号の何れか一つの受信レベルと、
前記第２の受信部における前記何れか一つの信号を受信するアンテナと同一の指向性のアンテナで受信した信号の受信レベルとの比較に基づいて前記第１の切替・合成部及び／又は第２の切替・合成部の受信信号の切替・合成を制御する、請求項４記載の受信装置。
【請求項１５】
前記切替・合成制御部は、
前記第１の受信部における第１の前方指向性アンテナで受信した信号、第１の側方指向性アンテナで受信した信号及び第１の後方指向性アンテナで受信した信号の合成信号と、前記第２の受信部における第２の前方指向性アンテナで受信した信号、第２の側方指向性アンテナで受信した信号及び第２の後方指向性アンテナで受信した信号の合成信号との合成信号の受信レベルと、
前記第１の受信部における第１の前方指向性アンテナで受信した信号と第２の前方指向性アンテナで受信した信号との合成信号の受信レベルと、の比較に基づいて前記第１の切替・合成部及び／又は第２の切替・合成部の受信信号の切替・合成を制御する、請求項４記載の受信装置。
【請求項１６】
前記切替・合成制御部は、
前記第１の受信部における第１の前方指向性アンテナで受信した信号、第１の側方指向性アンテナで受信した信号及び第１の後方指向性アンテナで受信した信号の合成信号と、前記第２の受信部における第２の前方指向性アンテナで受信した信号、第２の側方指向性アンテナで受信した信号及び第２の後方指向性アンテナで受信した信号の合成信号との合成信号の受信レベルと、
前記第１の受信部における第１の前方指向性アンテナで受信した信号及び第１の側方指向性アンテナで受信した信号との合成信号と、前記第２の受信部における第２の前方指向性アンテナで受信した信号及び第２の側方指向性アンテナで受信した信号との合成信号との合成信号の受信レベルと、又は前記第１の受信部における第１の後方指向性アンテナで受信した信号及び第１の側方指向性アンテナで受信した信号との合成信号と、及び前記第２の受信部における第２の後方指向性アンテナで受信した信号及び第２の側方指向性アンテナで受信した信号との合成信号との合成信号の受信レベルと、
の比較に基づいて前記第１の切替・合成部及び／又は第２の切替・合成部の受信信号の切替・合成を制御する、請求項４記載の受信装置。
【請求項１７】
受信した電波を処理する受信装置であって、
複数の受信信号が入力され、１つの受信信号又は複数の受信信号の２つ以上の合成信号を出力する第１の切替・合成部を有する第１の受信部と、
前記複数の受信信号と異なる複数の受信信号が入力され、１つの受信信号又は複数の受信信号の２つ以上の合成信号を出力する第２の切替・合成部を有する第２の受信部と、
前記第１の受信部及び第２の受信部における受信状態に基づいて前記第１の切替・合成部及び／又は前記第２の切替・合成部の受信信号の切替・合成を制御する切替・合成制御部と、
を有することを特徴とする受信装置。
【手続補正２】
【補正対象書類名】明細書
【補正対象項目名】発明の名称
【補正方法】変更
【補正の内容】
【発明の名称】受信装置
【手続補正３】
【補正対象書類名】明細書
【補正対象項目名】００１９
【補正方法】変更
【補正の内容】
【００１９】
そこで本発明の目的は、上記種々の問題点に鑑み、複数の指向性アンテナの各受信状態を一括して同時期に検出及び比較して、その比較結果によって直ちに所望の指向性アンテナに切替える受信装置を提供することにある。
【手続補正４】
【補正対象書類名】明細書
【補正対象項目名】００２０
【補正方法】変更
【補正の内容】
【００２０】
本発明によれば、複数の指向性アンテナから成る第１のアンテナセットと、第１のアンテナセットの１つの指向性アンテナで受信した信号又は第１のアンテナセットのうちの少なくとも２つ以上の指向性アンテナで受信した信号の合成信号を出力する第１の切替・合成部を有する第１の受信部と、複数の指向性アンテナから成る第２のアンテナセットと、第２のアンテナセットの１つの指向性アンテナで受信した信号又は第２のアンテナセットのうちの少なくとも２つ以上の指向性アンテナで受信した信号の合成信号を出力する第２の切替・合成部を有する第２の受信部と、第１の受信部及び第２の受信部における受信状態に基づいて第１の切替・合成部及び／又は第２の切替・合成部の受信信号の切替・合成を制御する切替・合成制御部を有することを特徴とする受信装置が提供される。
また、本発明によれば、複数の受信信号が入力され、１つの受信信号又は複数の受信信号の２つ以上の合成信号を出力する第１の切替・合成部を有する第１の受信部と、複数の受信信号と異なる複数の受信信号が入力され、１つの受信信号又は複数の受信信号の２つ以上の合成信号を出力する第２の切替・合成部を有する第２の受信部と、第１の受信部及び第２の受信部における受信状態に基づいて第１の切替・合成部及び／又は第２の切替・合成部の受信信号の切替・合成を制御する切替・合成制御部を有することを特徴とする受信装置が提供される。
【手続補正５】
【補正対象書類名】明細書
【補正対象項目名】００２１
【補正方法】変更
【補正の内容】
【００２１】
受信装置は、さらに第１の受信部及び第２の受信部からの出力信号にダイバーシティ処理を行うダイバーシティ処理部を有し、切替・合成制御部は、さらにダイバーシティ処理による受信状態に基づいて前記第１の切替・合成部及び／又は前記第２の切替・合成部の受信信号の切替・合成を制御する。
【手続補正６】
【補正対象書類名】図面
【補正対象項目名】図４
【補正方法】変更
【補正の内容】
【図４】
2005223510.tif 000001